(57)【要約】【課題】循環水や一定の液体を利用して騒音が無く少量の電力で継続して、発電する装置を提供する。【解決手段】地上又は、地中に設けた一対の容器又は一体の容器内に於いて、昇降タンク及びバランス用錘体と発電機がロープにて連結され、昇降タンク及びバランス用錘体の重力移動による昇降動作に伴うロープの移動で、発電機を回転させ発電する重力式発電機を提供するものである。【選択図】図１
2015232312.tif 000002
【特許請求の範囲】
【請求項１】
円筒形の管で垂直に伸びる縦長の貯水容器１の上部に貯水タンク室１４を設け、内部に一対の貯水タンク３とバランス用錘４とが連結ロープ１３で連結され、滑車５を経由して吊り下り、前記貯水タンク３に一定量の液体が供給されると、前記バランス用錘４との重量比が大きくなることで前記貯水タンク３は下方に下がり、底部と相対する接触面には異なる磁極の磁石板１７を設け、液体の重力と磁石の磁力で引合い開閉装置１６が開き液体が下方に流出すると、重量比が小さくなり前記貯水タンク３は前記バランス用錘４より軽量になり上方に上がるように構成されていることを特徴とする重力式発電装置。
【請求項２】
一対の円筒形の管で垂直に伸びる縦長の貯水容器１ともう一方の容器２とがあり、前記貯水容器１の内部には昇降タンク６を、前記容器２の内部にはバランス用錘体９を備え、且つ前記容器２の上部の発電機室１５の内部に設けた発電機１０のプーリとは互いに連結ロープ１３にて連結し、請求項１記載の貯水タンク３より流出した液体は最上時の前記昇降タンク６に注入され、自らの重量に液体の重量が加算して前記バランス用錘体９との重量比が大きくなることで、前記昇降タンク６は降下し、もう一方の前記バランス用錘体９は同時に上昇を行い、前記昇降タンク６は前記貯水容器１の最下部で液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体９は自重に重力が加わり降下して、重力移動による上昇下降を交互に繰り返し行うことにより、それに伴う前記連結ロープ１３の上下垂直移動で、前記発電機１０のプーリを回転させ発電を行うように構成された重量式発電装置である。
【請求項３】
一体の円筒形の管で垂直に伸びる縦長の貯水容器１の管内に於いて、前記貯水容器１の中心部に備えた昇降タンク６と、前記貯水容器１の外周部に位置し中央をくり貫いたバランス用錘体９とが一対となり、前記昇降タンク６と前記バランス用錘体９は互いに連結ロープ１３にて連結され、前記貯水容器１の最上部に配置した貯水タンク室１４の内部に備えた発電機１０のプーリを経由して、連結ロープ１３は巻付き、請求項１記載の前記貯水タンク３より放出した液体は、最上時の前記昇降タンク６に注入され、自らの重量に液体の重量が加算して、前記バランス用錘体９との重量比が大きくなることで、前記昇降タンク６は降下して、もう一方の前記バランス用錘体９は同時に上昇を行い、前記昇降タンク６は前記貯水容器１の最下部で、液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体（９）は自重に重力が加わり降下して、重力移動による上昇下降を交互に繰り返し行うことにより、それに伴う前記連結ロープ１３の上下垂直移動で、前記発電機１０のプーリを回転させ発電を行うように構成された重量式発電装置である。
【発明の詳細な説明】
【技術分野】
【０００１】本発明は、重力エネルギーを発電用モータの回転力に変換して発電を行う重力発電装置に関するものである。
【背景技術】
【０００２】重力式電力蓄積装置は重量物、重量物が上下移動する空間、重量物を支持する機構、重量物を持ち上げる機構、重量物を落下させ落下エネルギーを電気に変換する機構、重力伝達隔離機構、ブレーキ機構を備え外部電源から電力を導入して重力位置エネルギーに変換して蓄積し、必要な時に蓄積した動力エネルギーを電力に再変換して出力する。（特許文献１参照）
【先行技術文献】
【特許文献】
【０００３】
【特許文献１】  特開２０１２−６０８６９号公報
【発明の概要】
【発明が解決しようとする課題】
【０００４】しかしながらこの方式では、外部電力の導入が大きく発電能力が小さい。（特許文献１）
【課題を解決するための手段】
【０００５】下記の課題を解決すべく、本発明は以下の構成を提供する。
円筒形の管で垂直に伸びる縦長の貯水容器１の上部に貯水タンク室１４を設け、内部に一対の貯水タンク３とバランス用錘４とが、連結ロープ１３で連結され、滑車５を経由して吊り下り、前記貯水タンク３に一定量の液体が供給されると、前記バランス用錘４との重量比が大きくなることで、前記貯水タンク３は下方に下がり、底部と相対する接触面には異なる磁極の磁石板１７を設け、液体の重力と磁石の磁力で引合い、開閉装置１６が開き液体が下方に流出すると、重量比が小さくなり前記貯水タンク３は前記バランス用錘４より軽量になり上方に上がるように構成されていることを特徴とする重力式発電装置。【０００６】一対の円筒形の管で垂直に伸びる縦長の貯水容器１ともう一方の容器２とがあり、前記貯水容器１の内部には昇降タンク６を、前記容器２の内部にはバランス用錘体９を備え、且つ前記容器２の上部の発電機室１５の内部に設けた発電機１０のプーリとは互いに連結ロープ１３にて連結され、［０００５］記載の貯水タンク３より流出した液体は最上時の前記昇降タンク６に注入され、自らの重量に液体の重量が加算して、前記バランス用錘体９との重量比が大きくなることで、前記昇降タンク６は降下して、もう一方の前記バランス用錘体９は同時に上昇を行い、前記昇降タンク６は前記貯水容器１の最下部で、液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体９は自重に重力が加わり降下して、重力移動による上昇下降を交互に繰り返し行うことにより、それに伴う前記連結ロープ１３の上下垂直移動で、前記発電機１０のプーリを回転させ発電を行うように構成されていることを特徴とする重力式発電装置。【０００７】  一体の円筒形の管で垂直に伸びる縦長の貯水容器１の管内に於いて、前記貯水容器１の中心部に備えた昇降タンク６と、前記貯水容器１の外周部に位置し、中央をくり貫いたバランス用錘体９とが一対となり、前記昇降タンク６と前記バランス用錘体９は互いに連結ロープ１３にて連結され、前記貯水容器１の最上部に配置した貯水タンク室１４の内部に備えた、発電機１０のプーリを経由して連結ロープ１３は巻付き、［０００５］記載の前記貯水タンク３より放出した液体は、最上時の前記昇降タンク６に注入され、自らの重量に液体の重量が加算して、前記バランス用錘体９との重量比が大きくなることで、前記昇降タンク６は降下して、もう一方の前記バランス用錘体９は同時に上昇を行い、前記昇降タンク６は前記貯水容器１の最下部で、液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体（９）は自重に重力が加わり降下して、重力移動による上昇下降を交互に繰り返し行うことにより、それに伴う前記連結ロープ１３の上下垂直移動で、前記発電機１０のプーリを回転させ発電を行うように構成されていることを特徴とする重力式発電装置���
【発明の効果】
【０００８】本発明の請求項１記載の発明によれば、円筒形の管で垂直に伸びる縦長の貯水容器１の上部に貯水タンク室１４を設け、内部に一対の貯水タンク３とバランス用錘４とが、連結ロープ１３で連結され、滑車５を経由して吊り下り、前記貯水タンク３に一定量の液体が供給されると、前記バランス用錘４との重量比が大きくなることで、前記貯水タンク３は下方に下がり、底部と相対する接触面には異なる磁極の磁石板１７を設け、液体の重力と磁石の磁力で引合い、開閉装置１６が開き液体が下方に流出すると、重量比が小さくなり前記貯水タンク３は前記バランス用錘４より軽量になり上方に上がるように構成されていて、場所に制限がなく地上や地中埋設での設置が可能な重力式発電装置を提供するものである。【０００９】本発明の請求項２記載の発明によれば、一対の円筒形の管で垂直に伸びる縦長の貯水容器１ともう一方の容器２とがあり、前記貯水容器１の内部には昇降タンク６を、前記容器２の内部にはバランス用錘体９を備え、且つ前記容器２の上部の発電機室１５の内部に設けた発電機１０のプーリとは互いに連結ロープ１３にて連結され、請求項１記載の貯水タンク３より流出した液体は最上時の前記昇降タンク６に注入され、自らの重量に液体の重量が加算して、前記バランス用錘体９との重量比が大きくなることで、前記昇降タンク６は降下して、もう一方の前記バランス用錘体９は同時に上昇を行い、前記昇降タンク６は前記貯水容器１の最下部で、液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体９は自重に重力が加わり降下して、重力移動による上昇下降を交互に繰り返し行うことにより、それに伴う前記連結ロープ１３の上下垂直移動で、前記発電機１０のプーリを回転させ発電を行うように構成されている重力式発電装置を提供するものである。【００１０】本発明の請求項３記載の発明によれば、一体の円筒形の管で垂直に伸びる縦長の貯水容器１の管内に於いて、前記貯水容器１の中心部に備えた昇降タンク６と、前記貯水容器１の外周部に位置し、中央をくり貫いたバランス用錘体９とが一対となり、前記昇降タンク６と前記バランス用錘体９は互いに連結ロープ１３にて連結され、前記貯水容器１の最上部に配置した貯水タンク室１４の内部に備えた、発電機１０のプーリを経由して連結ロープ１３は巻付き、請求項１記載の前記貯水タンク３より放出した液体は、最上時の前記昇降タンク６に注入され、自らの重量に液体の重量が加算して、前記バランス用錘体９との重量比が大きくなることで、前記昇降タンク６は降下して、もう一方の前記バランス用錘体９は同時に上昇を行い、前記昇降タンク６は前記貯水容器１の最下部で、液面上に浮遊したフロート式落下衝撃防止体８の上部突起物に覆い被る状態となり、前記昇降タンク６内の共栓７を押上げ内部の液体は前記貯水容器１内に放流され、前記昇降タンク６は軽量となり重量比が小さくなることで上昇し、同時に前記バランス用錘体（９）は自重に重力が加わり降下して、重力移動による上昇下降を交互に繰り返し行うことにより、それに伴う前記連結ロープ１３の上下垂直移動で、前記発電機１０のプーリを回転させ発電を行うように構成されている重力式発電装置を提供するものであるある。
【図面の簡単な説明】
【００１１】
【図１】本発明の請求項１と請求項２による発電装置の実施形態を示す正面縦面図〜昇降タンク（６）が最上部でバランス用錘体（９）が最下部の状態図
【図２】本発明の請求項１と請求項２による発電装置の実施形態を示す正面縦面図〜昇降タンク（６）が最下部でバランス用錘体（９）が最上部の状態図
【図３】本発明の請求項１と請求項３による発電装置の実施形態を示す正面縦面図
【図４】本発明の請求項１と請求項３による発電装置の実施形態を示す部分平面詳細図
【発明を実施するための最良の形態】
【００１２】円
請求項１、による実施形態を示す図１から図４を参照にして説明すると、円筒形の管で垂直に伸びる縦長の貯水容器（１）の上部に貯水タンク室（１４）を設け、内部に一対の貯水タンク（３）とバランス用錘（４）とが、連結ロープ（１３）で連結され、滑車（５）を経由して吊り下り、貯水タンク（３）に一定量の液体が供給されると、バランス用錘（４）との重量比が大きくなることで、貯水タンク（３）は下方に下がり、底部と相対する接触面には異なる磁極の磁石板（１７）を貼付け、液体の重力と磁石の磁力で引合い、開閉装置１６が開き液体が下方に流出すると、重量比が小さくなり前記貯水タンク３は前記バランス用錘４より軽量になり上方に上がる。【００１３】  請求項２、による実施形態を示す図１、図２、を参照にして説明すると、一対の円筒形の管で垂直に伸びる縦長の貯水容器（１）ともう一方の容器（２）とがあり、貯水容器（１）の内部には昇降タンク（６）を設け、容器（２）の内部にはバランス用錘体（９）を配置して、且つ前記容器（２）の上部の発電機室（１５）の内部に設けた発電機（１０）のプーリとは互いに連結ロープ（１３）にて連結され、請求項１記載の貯水タンク（３）より流出した液体は最上時の昇降タンク（６）に注入され、自らの重量に液体の重量が加算して、バランス用錘体（９）との重量比が大きくなることで、昇降タンク（６）は降下して、もう一方の前記バランス用錘体（９）は同時に上昇を行い、昇降タンク（６）は貯水容器（１）の最下部で、液面上に浮遊したフロート式落下衝撃防止体（８）の上部突起物に覆い被る状態となり、昇降タンク（６）内の共栓（７）を押上げ内部の液体は貯水容器（１）内に放流され、昇降タンク（６）は軽量となり重量比が小さくなることで上昇し、同時にバランス用錘体（９）は自重に重力が加わり降下して、重力移動による上昇下降を交互に繰り返し行うことにより、それに伴う連結ロープ（１３）の上下垂直移動で、発電機（１０）のプーリを回転させ発電を行う【００１４】請求項３、による実施形態を示す図３、図４、を参照にして説明すると、一体の円筒形の管で垂直に伸びる縦長の貯水容器（１）の管内に於いて、貯水容器（１）の中心部に配置した昇降タンク（６）と、貯水容器（１）の外周部に位置し、中央をくり貫いたバランス用錘体（９）とが一対となり、昇降タンク（６）とバランス用錘体（９）は互いに連結ロープ（１３）にて連結され、貯水容器（１）の最上部に配置した貯水タンク室（１４）の内部に設けた、発電機（１０）のプーリを経由して連結ロープ（１３）は巻付き、請求項１記載の貯水タンク（３）より放出した液体は、最上時の昇降タンク（６）に注入され、自らの重量に液体の重量が加算して、バランス用錘体（９）との重量比が大きくなることで、昇降タンク（６）は降下して、もう一方のバランス用錘体（９）は同時に上昇を行い、昇降タンク（６）は貯水容器（１）の最下部で、液面上に浮遊したフロート式落下衝撃防止体（８）の上部突起物に覆い被る状態となり、昇降タンク（６）内の共栓（７）を押上げ内部の液体は貯水容器（１）内に放流され、昇降タンク（６）は軽量となり重量比が小さくなることで上昇し、同時にバランス用錘体（９）は自重に重力が���わり降下して、重力移動による上昇下降を交互に繰り返し行うことにより、それに伴う連結ロープ（１３）の上下垂直移動で、発電機（１０）のプーリを回転させ発電を行う。【００１５】また、請求項２、と請求項３、の貯水容器（１）内の液体は上部の貯水タンク室に設けた吸上げポンプ（１１）を運転することで、液体は送水管（１２）を介して、貯水タンク（３）へ供給されます。これにより貯水容器（１）の水位は常時一定に保ち、この発電システムは可動します。
【符号の説明】
【００１６】１        貯水容器
２        容器  （請求項２）
３        貯水タンク
４        バランス用錘
５        滑車
６        昇降タンク
７        共栓
８        フロート式落下衝撃防止体
９        バランス用錘体
１０      発電機
１１      吸上げポンプ
１２      送水管
１３      連結ロープ
１４      貯水タンク室
１５      発電機室
１６      開閉装置
１７      磁石板
【図１】
2015232312.tif 000003
【図２】
2015232312.tif 000004
【図３】
2015232312.tif 000005
【図４】
2015232312.tif 000006
【手続補正書】
【提出日】平成27年2月10日(2015.2.10)
【手続補正１】
【補正対象書類名】明細書
【補正対象項目名】全文
【補正方法】変更
【補正の内容】
【発明の詳細な説明】
【技術分野】
【０００１】本発明は、重力エネルギーを発電用モータの回転力に変換して発電を行う重力式発電装置に関するものである。
【背景技術】
【０００２】重力式電力蓄積装置は重量物、重量物が上下移動する空間、重量物を支持する機構、重量物を持ち上げる機構、重量物を落下させ落下エネルギーを電気に変換する機構、重力伝達隔離機構、ブレーキ機構を備え外部電源から電力を導入して重力位置エネルギーに変換して蓄積し、必要な時に蓄積した動力エネルギーを電力に再変換して出力する。（特許文献１参照）
【先行技術文献】
【特許文献】
【０００３】
【特許文献１】特開２０１２−６０８６９号公報
【発明の概要】
【発明が解決しようとする課題】
【０００４】しかしながらこの方式では、外部電力の導入が大きく発電能力が小さい。（特許文献１）
【課題を解決するための手段】
【０００５】下記の課題を解決すべく、本発明は以下の構成を提供する。
円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記貯水タンク室（１４）の下部に設けた、一対の円筒形の管で垂直に伸びる縦長の貯水容器（１）ともう一方の容器（２）とがあり、前記貯水容器（１）の内部には昇降タンク（６）を、前記容器（２）の内部にはバランス用錘体（９）を備え、且つ前記容器（２）の上部の発電機室（１５）の内部に設けた発電機（１０）のプーリとは互いに連結ロープ（１３）にて連結し、前記貯水タンク（３）より流出した液体は最上時の前記昇降タンク（６）に注入され、自らの重量に液体の重量が加算して前記バランス用錘体（９）との重量比が大きくなることで、前記昇降タンク（６）は降下し、もう一方の前記バランス用錘体（９）は同時に上昇を行い、前記昇降タンク（６）は前記貯水容器（１）の最下部で液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して重力移動による上昇下降を交互に繰り返し行うことにより、それに伴う前記連結ロープ（１３）の上下垂直移動で、前記発電機（１０）のプーリを回転させ発電を行うように構成されていることを特徴とする重力式発電装置である。【０００６】円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記タンク室（１４）の下部に設けた、一体の円筒形の管で垂直に伸びる縦長の貯水容器（１）の管内に於いて、前記貯水容器（１）の中心部に備えた昇降タンク（６）と、前記貯水容器（１）の外周部に位置し中央をくり貫いたバランス用錘体（９）とが一対となり、前記昇降タンク（６）と前記バランス用錘体（９）は互いに連結ロープ（１３）にて連結され、前記貯水容器（１）の最上部に配置した貯水タンク室（１４）の内部に備えた発電機（１０）のプーリを経由して、連結ロープ（１３）は巻付き、前記貯水タンク（３）より放出した液体は、最上時の前記昇降タンク（６）に注入され、自らの重量に液体の重量が加算して、前記バランス用錘体（９）との重量比が大きくなることで、前記昇降タンク（６）は降下して、もう一方の前記バランス用錘体（９）は同時に上昇を行い、前記昇降タンク（６）は前記貯水容器（１）の最下部で、液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して、重力移動による上昇下降を交互に繰り返し行うことにより、それに伴う前記連結ロープ（１３）の上下垂直移動で、前記発電機（１０）のプーリを回転させ発電を行うように構成されていることを特徴とする重力式発電装置である。
【発明の効果】
【０００７】本発明の請求項１記載の発明によれば、円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記貯水タンク室（１４）の下部に設けた、一対の円筒形の管で垂直に伸びる縦長の貯水容器（１）ともう一方の容器（２）とがあり、前記貯水容器（１）の内部には昇降タンク（６）を、前記容器（２）の内部にはバランス用錘体（９）を備え、且つ前記容器（２）の上部の発電機室（１５）の内部に設けた発電機（１０）のプーリとは互いに連結ロープ（１３）にて連結し、前記貯水タンク（３）より流出した液体は最上時の前記昇降タンク（６）に注入され、自らの重量に液体の重量が加算して前記バランス用錘体（９）との重量比が大きくなることで、前記昇降タンク（６）は降下し、もう一方の前記バランス用錘体（９）は同時に上昇を行い、前記昇降タンク（６）は前記貯水容器（１）の最下部で液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して重力移動による上昇下降を交互に繰り返し行うことにより、それに伴う前記連結ロープ（１３）の上下垂直移動で、前記発電機（１０）のプーリを回転させ発電を行うように構成されていて、場所に制限がなく地上や地中埋設での設置が可能な重力式発電装置を提供するものである。【０００８】本発明の請求項２記載の発明によれば、円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記タンク室（１４）の下部に設けた、一体の円筒形の管で垂直に伸びる縦長の貯水容器（１）の管内に於いて、前記貯水容器（１）の中心部に備えた昇降タンク（６）と、前記貯水容器（１）の外周部に位置し中央をくり貫いたバランス用錘体（９）とが一対となり、前記昇降タンク（６）と前記バランス用錘体（９）は互いに連結ロープ（１３）にて連結され、前記貯水容器（１）の最上部に配置した貯水タンク室（１４）の内部に備えた発電機（１０）のプーリを経由して、連結ロープ（１３）は巻付き、前記貯水タンク（３）より放出した液体は、最上時の前記昇降タンク（６）に注入され、自らの重量に液体の重量が加算して、前記バランス用錘体（９）との重量比が大きくなることで、前記昇降タンク（６）は降下して、もう一方の前記バランス用錘体（９）は同時に上昇を行い、前記昇降タンク（６）は前記貯水容器（１）の最下部で、液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して、重力移動による上昇下降を交互に繰り返し行うことにより、それに伴う前記連結ロープ（１３）の上下垂直移動で、前記発電機（１０）のプーリを回転させ発電を行うように構成されていて、場所に制限がなく地上や地中埋設での設置が可能な重力式発電装置を提供するものである。
【図面の簡単な説明】
【０００９】
【図１】本発明の請求項１による発電装置の実施形態を示す正面縦面図  〜昇降タンク（６）が最上部でバランス用錘体（９）が最下部の状態図
【図２】本発明の請求項１による発電装置の実施形態を示す正面縦面図  〜昇降タンク（６）が最下部でバランス用錘体（９）が最上部の状態図
【図３】本発明の請求項２による発電装置の実施形態を示す正面縦面図
【図４】本発明の請求項２による発電装置の実施形態を示す部分平面詳細図
【発明を実施するための最良の形態】
【００１０】請求項１、による実施形態を示す図１から図４を参照にして説明すると、円筒形の管で垂直に伸びる縦長の貯水容器（１）の上部に貯水タンク室（１４）を設け、内部に一対の貯水タンク（３）とバランス用錘（４）とが、連結ロープ（１３）で連結され、滑車（５）を経由して吊り下り、貯水タンク（３）に一定量の液体が供給されると、バランス用錘（４）との重量比が大きくなることで、貯水タンク（３）は下方に下がり、貯水タンク（３）の底部と相対する貯水タンク室（１４）内の接触面には異なる磁極の磁石板（１７）をそれぞれ貼付け、液体の重力と磁石の磁力で引合い、開閉装置１６が開き液体が下方に流出すると、重量比が小さくなり前記貯水タンク（３）は前記バランス用錘（４）より軽量になり上方に上がる。【００１１】また、貯水タンク室（１４）の下部に設けた、一対の円筒形の管で垂直に伸びる縦長の貯水容器（１）ともう一方の容器（２）とがあり、貯水容器（１）の内部には昇降タンク（６）を設け、容器（２）の内部にはバランス用錘体（９）を配置して、且つ前記容器（２）の上部の発電機室（１５）の内部に設けた発電機（１０）のプーリとは互いに連結ロープ（１３）にて連結され、貯水タンク（３）より流出した液体は最上時の昇降タンク（６）に注入され、自らの重量に液体の重量が加算して、バランス用錘体（９）との重量比が大きくなることで、昇降タンク（６）は降下して、もう一方の前記バランス用錘体（９）は同時に上昇を行い、昇降タンク（６）は貯水容器（１）の最下部で、液面上に浮遊したフロート式落下衝撃防止体（８）の上部突起物に覆い被る状態となり、昇降タンク（６）内の共栓（７）を押上げ内部の液体は貯水容器（１）内に放流され、昇降タンク（６）は軽量となり重量比が小さくなることで上昇し、同時にバランス用錘体（９）は自重に重力が加わり降下して、重力移動による上昇下降を交互に繰り返し行うことにより、それに伴う連結ロープ（１３）の上下垂直移動で、発電機（１０）のプーリを回転させ発電を行う【００１２】請求項２、による実施形態を示す図３、図４、を参照にして説明すると、一体の円筒形の管で垂直に伸びる縦長の貯水容器（１）の管内に於いて、貯水容器（１）の中心部に配置した昇降タンク（６）と、貯水容器（１）の外周部に位置し、中央をくり貫いたバランス用錘体（９）とが一対となり、昇降タンク（６）とバランス用錘体（９）は互いに連結ロープ（１３）にて連結され、貯水容器（１）の最上部に配置した貯水タンク室（１４）の内部に設けた、発電機（１０）のプーリを経由して連結ロープ（１３）は巻付き、貯水タンク室（１４）内の貯水タンク（３）より放出した液体は、最上時の昇降タンク（６）に注入され、自らの重量に液体の重量が加算して、バランス用錘体（９）との重量比が大きくなることで、昇降タンク（６）は降下して、もう一方のバランス用錘体（９）は同時に上昇を行い、昇降タンク（６）は貯水容器（１）の最下部で、液面上に浮遊したフロート式落下衝撃防止体（８）の上部突起物に覆い被る状態となり、昇降タンク（６）内の共栓（７）を押上げ内部の液体は貯水容器（１）内に放流され、昇降タンク（６）は軽量となり重量比が小さくなることで上昇し、同時にバランス用錘体（９）は自重に重力が加わり降下して、重力移動による上昇下降を交互に繰り返し行うことにより、それに伴う連結ロープ（１３）の上下垂直移動で、発電機（１０）のプーリを回転させ発電を行う。【００１３】また、請求項１、と請求項２、で記載の貯水容器（１）内の液体は上部の貯水タンク室に設けた吸上げポンプ（１１）を運転することで、液体は送水管（１２）を介して、貯水タンク（３）へ供給されます。これにより貯水容器（１）の水位は常時一定に保ち、この発電システムは可動します。
【符号の説明】
【００１４】１        貯水容器
２        容器（請求項１）
３        貯水タンク
４        バランス用錘
５        滑車
６        昇降タンク
７        共栓
８        フロート式落下衝撃防止体
９        バランス用錘体
１０      発電機
１１      吸上げポンプ
１２      送水管
１３      連結ロープ
１４      貯水タンク室
１５      発電機室
１６      開閉装置
１７      磁石板
【手続補正２】
【補正対象書類名】特許請求の範囲
【補正対象項目名】全文
【補正方法】変更
【補正の内容】
【特許請求の範囲】
【請求項１】
円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記貯水タンク室（１４）の下部に設けた、一対の円筒形の管で垂直に伸びる縦長の前記貯水容器（１）ともう一方の容器（２）とがあり、前記貯水容器（１）の内部には昇降タンク（６）を、前記容器（２）の内部にはバランス用錘体（９）を備え、且つ前記容器（２）の上部の発電機室（１５）の内部に設けた発電機（１０）のプーリとは互いに連結ロープ（１３）にて連結し、前記貯水タンク（３）より流出した液体は最上時の前記昇降タンク（６）に注入され、自らの重量に液体の重量が加算して前記バランス用錘体（９）との重量比が大きくなることで、前記昇降タンク（６）は降下し、もう一方の前記バランス用錘体（９）は同時に上昇を行い、前記昇降タンク（６）は前記貯水容器（１）の最下部で液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して重力移動による上昇下降を交互に繰り返し行うことにより、それに伴う前記連結ロープ（１３）の上下垂直移動で、前記発電機（１０）のプーリを回転させ発電を行うように構成された重力式発電装置である。
【請求項２】
円筒形の管で垂直に伸びる縦長の貯水容器（１）の上部に貯水タンク室（１４）を設け、前記貯水タンク室（１４）の内部に一対の貯水タンク（３）とバランス用錘（４）とが連結ロープ（１３）で連結され、滑車（５）を経由して吊り下り、前記貯水タンク（３）に一定量の液体が供給されると、前記バランス用錘（４）との重量比が大きくなることで前記貯水タンク（３）は下方に下がり、前記貯水タンク（３）の底部と相対する前記貯水タンク室内（１４）内の接触面には異なる磁極の磁石板（１７）をそれぞれ設け、液体の重力と磁石の磁力で引合い開閉装置（１６）が開き液体が下方に流出すると、重量比が小さくなり前記貯水タンク（３）は前記バランス用錘（４）より軽量になり上方に上り、前記タンク室（１４）の下部に設けた、一体の円筒形の管で垂直に伸びる縦長の前記貯水容器（１）の管内に於いて、前記貯水容器（１）の中心部に備えた昇降タンク（６）と、前記貯水容器（１）の外周部に位置し中央をくり貫いたバランス用錘体（９）とが一対となり、前記昇降タンク（６）と前記バランス用錘体（９）は互いに連結ロープ（１３）にて連結され、前記貯水容器（１）の最上部に配置した貯水タンク室（１４）の内部に備えた発電機（１０）のプーリを経由して、連結ロープ（１３）は巻付き、前記貯水タンク（３）より放出した液体は、最上時の前記昇降タンク（６）に注入され、自らの重量に液体の重量が加算して、前記バランス用錘体（９）との重量比が大きくなることで、前記昇降タンク（６）は降下して、もう一方の前記バランス用錘体（９）は同時に上昇を行い、前記昇降タンク（６）は前記貯水容器（１）の最下部で、液面上に浮遊したフロート式落下衝撃防止体（８）の上部突起物に覆い被る状態となり、前記昇降タンク（６）内の共栓（７）を押上げ内部の液体は前記貯水容器（１）内に放流され、前記昇降タンク（６）は軽量となり重量比が小さくなることで上昇し、同時に前記バランス用錘体（９）は自重に重力が加わり降下して、重力移動による上昇下降を交互に繰り返し行うことにより、それに伴う前記連結ロープ（１３）の上下垂直移動で、前記発電機（１０）のプーリを回転させ発電を行うように構成された重力式発電装置である。